(57)【要約】      （修正有）【課題】シュート、ヘッデング、パスされたボールを、トラップしてゴールポストにシュートする身体能力を身に付け、単独でも少数人員で練習するサッカー練習機を提供する。【解決手段】小規模な円形フイルドの中央部分に３カ所のゴールポスト２を設け、ゴールＡ，ゴールＢ、ゴールＣの３つに分離されている。各々のフイルドに盾４が設置され盾に当たったボールは、盾よりの反射でボールが返球される練習機である、シュートされたボールは回収装置５により回収され、フイルドに再度配球される。各々の盾にボールを渡すと、盾よりフライボール：ストレートボール等々に返球され、シュート、ボールがフイルドラインより出たボールは、自動回収装置により回収されフィルドに再度、発射装置によって配球されるサッカー練習装置である。【選択図】図１
2018122063.tif 000002
【特許請求の範囲】
【請求項１】
サッカーの練習用の小規模な円形フィールドを設け、その周囲を防御ネットで囲む、その円形フィールドを３分割し、各々のフィールドの中心にゴールポストを設ける、そのゴールポストの裏側付近に、ボール回収装置を具設し、３分割したフィールド内部の隣接部分にも防御ネットを設ける、３分割の隣接部分の地面にボール斜傾回収路を設け、回収したボールはフィールド中心部に集積出来るよう、傾斜路になっていて、その集積されたボールは発射装置より、フィールドに待機している選手の方向に発射する、発射ボールは、大フライ、中フライ、ゴロ、ストレートボール等々の球質の異なったボールを、配球するボール発射装置で、さらに、分割した各々のフィールドに数個分の盾を設置する、構造となっている事を特徴とする、サッカー練習装置。
【請求項２】
小規模な長方形のフィールドを設け、周囲を防御ネットで囲む、ゴールポストを左右に設置する、そのゴールポストの裏側にボール回収装置を具設し、サイドライン上には数多く垂直盾、前傾盾、弓形盾を列居する、本案のシステム装置は、２人〜４人の数少ない人数で試合する事も可能な構造になっている、各々の盾は、敵又は味方となる、特殊な練習方法である事を特徴としたサッカー練習装置。
【請求項３】
ボール発射装置は、回収ボールを再度、選手に向け配球する発射装置であって、ボール回収路を通過ボールは、発射機のモータにより、回転式キックバットは回転運動エネルギーにより発射、さらに風圧式発射機によって、長距離、中距離、近距離、発射または、強弱発射をコントロールする事を特徴とする、サッカー練習装置。
【請求項４】
盾は、ボールを実戦に備える為の練習用盾で、図面に示す通り、Ａ盾（垂直盾）：Ｂ盾（前倒盾）：Ｃ盾（弓形盾）であって、サッカーには身体能力を身に付け為の、実戦に事欠かせない事を特徴とする、サッカー練習装置。
【請求項５】
「三位一体盾」Ｄ盾は、一つの盾を３形式、Ａ盾：Ｂ盾：Ｃ盾と変換出来る構造となっている事を特徴とする、サッカー練習装置
【請求項６】
ゴールポストの裏側に防御ネットを巡らす、ゴールポストと防御ネットの中間のスペースに、ボール回収籠を置く、ボールが回収籠に集積されたら、回収籠は自動式に約４分の１程度回転する、そこでボールが回収路に投入され経由して発射機に移動しボールを発射する、本案はボールを回収し発射する事を特徴とする、サッカー練習装置。
【請求項７】
ゴールポストの裏側にネットを張り付ける、そのネットはポスト上部：下部：両端に湾曲状のネットを巡らす、ゴールネットの中央部分にボール挿入口を設ける、その裏側に斜傾回収回路を付設する、ボールはゴールポストの外部に移動し、そこから発射装置によりフィールドに返球する事を特徴としたサッカー練習装置。
【請求項８】
回転式ボール移動装置は、地面下に集積したボールを、回転式回収装置にて高所にボールは移動し、発射装置にてフィールドに返球する事を特徴としたサッカー練習装置。
【請求項９】
回収集積されたボールを風力発射装置によりフィールド配送する装置である、短距離：長距離の発射装置は、風圧に限度あり風圧発射装置を２機：３機を別々に付設する事を特徴としたサッカー練習装置。
【発明の詳細な説明】
【技術分野】
【発明の詳細な説明】
【０００１】本発明は、サッカーの練習に欠かせない問題として、ゴールシュート、ヘデイング、パス等々がある、それらの課題について、練習用ボール回収装置：ボール発射装置を備えたサッカー練習装置に関する。
【０００２】サッカーの練習には、少数の人数でも、練習出来る小型化した練習コートを特徴としたサッカー練習装置を必要である。
【０００３】練習場にゴールポストを設け、その周囲にバックネット巡らし、周囲にボール回収装置を備えた練習装置を必要である。
【背景技術】
【０００４】従来、サッカーの練習には様々な練習装置はあるが、選手がシュートの練習機を使用しても、ボールを回収装置は無い。【０００５】従来、サッカーの選手が、技術が上達するのには、例えば、一人毎日１００本のシュート練習をする、しかし、蹴ったボールは、自分で回収か、又仲間が相互に回収するしか方法しか無い、従来、クラブ等の集団グループでの練習は少なく、試合をもって技術向上をはかるのみである。【０００６】前項では、従来の、シュート練習等について説明したが、それ以外にヘッデング、フライボール、ストレートボール、コーナーキック等々様々な要素の練習が少ないと言った問題があった。【０００７】
【先行技術文献】
【０００８】
【特許文献】
【特許文献】特許第５９６９６６５号  発明者  宮本健夫
【０００９】前項の特許第５９６９６６５号は、発明者は当該者であるが、規模が大きい為一般的に商品化は難しい、それらの理由から、小型化した練習機を考案した。
【問題を解決しょうとする手段】
【００１０】本案の、（請求項１）について説明する、小規模な円形フィールド１を設け、そのフィールド１を３分割し、円形フィールド１の中央付近に、別々にゴールポスト２を１台ずつ据置き計３台とする。フィールド１部には、異なった盾（Ａ盾：Ｂ盾：Ｃ盾）を設置する。
３台のボールポスト２を合わせると、三角形となる、その三角形を円形台に設置する、円形台は時間を設定し回転する構造で、各々選手が、異なった形式の練習が出来る装置である。
ボールポスト２の裏側は、変形反射板４があり、ボールを蹴ると反射反転し、返球される、選手はそのボール対処する練習。
サイドラインの下面に、傾斜された回収路５が設置され、ゴールポスト２裏側にボールは集積され、そのボールを発射装置７により、再度選手に返球する事を繰り返す練習機。
【００１１】本案の、（請求項２）について説明する、小規模な長方形のフィールド１を設け、フィールド１の東側：西側のゴールライン双方にゴールポスト２備え、北側：南側のサイドライン側上に（Ａ垂直盾：Ｂ前倒盾：Ｃ弓形盾４）を列居する、周囲に防御ネットを巡らす。
上記の各盾は（４Ａ：４Ｂ：４Ｃ）少数人での試合には、盾そのものが、敵：味方となり、練習試合に、事欠かせない環境となり最大の練習となる。
【００１２】本案の、（請求項３）について説明する、発射装置ついては、極力、単純な機器を主眼として考案した、それは、キックバット装置６と風圧発射装置７を組合せた。なお、環境に応じて別々の発射装置すむのであれば、臨機応変が可能である。
【００１３】本案の（請求項４）について説明する、盾については、あらゆる異なったボールが返球されてくる、サッカーで一番重要なのは、返球されたボールを如何に処理するかにあります、シュート練習装置は有るが、返球ボールを処理する練習機装置は見当たらない、そこで本案は、盾の重要性を鑑み練習装置に取り入れた。盾の反射板に使用する素材については、合板：網状：一般的なシートある、必要に応じ何れの素材を用いても良い事は言うまでもない。
【００１４】  本案の、（請求項５）について説明する。
「三位一体盾」について説明する、Ａ盾：Ｂ盾：Ｃ盾を一体化して、それらを自動化し、設置場所において自動的に、無差別に盾の内部の位置を変更する事ができる練習装置。
【００１５】  本案の、（請求項６）について説明する。ゴールポスト２の裏側に防御ネットを巡らす、ゴールポスト２と防御ネットの中間のスペースに、ボール集積籠８を置く、ボールが蓄積されたら、ボール集積籠８は軽量な構造で、自動式に約４分の１程度回転しながら上昇する、それらが傾斜したボール回収路４に投下され、さらに風圧発射機５設置場所まで移動し、ボールは風圧発射機５によりフィールドに向かって発射する、サッカー練習装置。
【００１６】  本案の、（請求項７）について説明する。
ゴールポスト１の裏側に変形ネット２を張り付ける、変形ネット２はゴールポスト１内の上部：下部：両端に湾曲状の変形ネットを巡らす。
シュートしたボールが変形シート２の湾曲面に当たると、ゴールポスト１内部の中央にあるボール回収口３にボールが反射移動する、そのボール回収口３にボール傾斜回収路４が付設しており、ボールはゴールポスト１の端にボール移動し、さらに風圧発射装置６により、フィールドに返球する装置。
【００１７】  本案の、（請求項８）について説明する。
水車型回収機装置１は、一般的に蹴り終ったボールを回収するには、地面を掘削する必要がある、地下に集積したボールを回収機装置１によって簡易に高所に移動させ、発射装置によってフィールドに返球する装置。
【００１８】  本案の、（請求項９）について説明する。
地面を掘削した、地下部分に回収装置を設置する、ボールを風圧発射装置６により、フィールドに返球する装置である。しかし本案は小型な風圧発射装置６を前提に考案したもので、風圧に限度があるので、軽量な発射装置機を用いる、そのため風圧に限度があるので風圧発射機を２台〜３台を別々に付設する、（風が物体に与える圧力は、風速の２乗に比例して増加する）
【発明の開示】
【発明が解決しょうとする手段】
【００１９】本案の練習機は、小型化し円形型のフィールドを３分割し各々のフィールドの中央付近にボールポストを設置する計３台となる、フィールドの周囲または３分割した隣接地の境界に防御ネットを張り巡らす、３分割した境界の地面にボール回収路を設け中央に向かって傾斜路とする、中央にボール集積所を設け、その隣地に発射装置を具設し、自動的にシュート、回収等、人手を煩わずに一人でも練習出来る練習装置を考案した、尚、フィールドを３分割したのは小面積を有効に利用し複数の人が練習を可能した。
【００２０】前記の各々の盾は、Ａ垂直盾、Ｂ前屈盾、Ｃ後屈盾とし、各々に選手がキックしたボールが、跳ね返り再び選手の元に返ってくる。
【００２１】Ａ垂直盾は、ストレートで返球され、Ｂ前屈盾は地面と平行にゴロ球として返球され、Ｃ後屈盾はフライ球として返球される。
Ａ：Ｂ：Ｃ：盾より、返球されたボールをバウンドボール：フライボール等を身体で受け止め瞬間的に次の行動に移る、身体能力を高める練習機、
【００２２】Ｄ三位一体盾は、Ａ盾：Ｂ盾：Ｃ盾の特徴を合体盾にした、一体化した盾の上部に防護板（屋根状）を付設する、其れによって、Ｃ盾部の反対反球を防ぐ、尚、Ｄ三位一体盾は、折りたたみ形式構造であり軽量な構造であるので、一般自動車での搬送が容易である。
【発明の効果】
【００２３】円形型フィールドは練習場の面積が少なく、サッカー練習機の設置が簡易。
【００２４】  本発明のサッカー練習機は、一人又は小数の選手がサッカーフィールドで、シュート、パス、ヘッデング、コーナーキック等の練習機である。
【００２５】  小規模なサッカーのフィールドの、周囲のサイドラインにＡ盾、Ｂ盾、Ｃ盾、Ｄ盾（三位一体盾）を数多く巡らす、各々の盾にボールを渡すと、盾よりフライボール：ストレートボール等々に返球され、そのボール再度、選手は次の動作に移行する練習機で、当然ながらシュート、ボールがフィールドラインより出たボールは、回収装置により回収され、フィールドに再度配球されるサッカー練習装置
【発明を実施するための最良の形態】
【００２６】
【実施例】
【００２７】以下に実施例を説明する。
図１，図２，は円形フィールドで、そのフィールドを３分割し、各々の三角状のフィールドの先端にゴールポストを設け、周囲に防御ネットを巡らし、３分割の境界に傾斜ボール回収路を設け、ゴールポストの裏付近に、ボール回収集積と発射装置を設ける、フィールド周辺に  Ａ盾、Ｂ盾、Ｃ盾を設置する。【００２８】図３は、小規模な長方形のフィールドで、周囲は防御ネットで囲む、ゴールポストを左右に設置し、そのゴールポストの裏側にボール回収路を設け、回収したボールを選手に配球する、発射装置を具設する。
サイドライン上に数多くの盾を列居する、さらに、図３のシステム装置は２人〜４人で試合が出来る構造。
図４は、図面に示す通り、Ａ垂直盾、Ｂ前倒盾、Ｃ弓形盾で、あらゆる異なったボールが返球され、それを身体で処理する、練習機【００２９】図５，図６は、ボール回収路と発射装置がある、回収されたボールは傾斜路を経由して、発射装置による回転式キックバットにて、フィールドに返球する。【００３０】図７は、Ｄ三位一体盾で、一つの盾を３形式に変換（Ａ垂直盾、Ｂ前倒盾、Ｃ弓形盾）にする事が出来る構造。【００３１】図８は、小型練習機で、全てが、小規模な構造である、ゴールポストの周辺に防御ネットを張り巡らす、ゴールポストとバックネットの中間のスペースに傾斜回収路と回転式回収籠を置く、ボールが回収籠に集積されると、４分の１回転しボールを回収路に投入され、さらに発射装置に移動し風圧式発射装置より、に各種のボールを発射する練習機。【００３２】図９は、ゴールポスト内の上部：下部：両端に湾曲状の変形ネットを巡らす、中央部にボール回収口が有り、選手がボールをゴールポストにシュートする、ボールは、内部の湾曲状のシートに当たり、その反動でボールは回収口に進入し傾斜回収路を経て、風力発射にてフィールドに発射送球する。
この装置は単純な構造であり、地面を堀削せずに設置できる、故に、他に移動搬送が可能である。【００３３】図１０は、本案での一番要求されている要件は、単純な構造で地面を堀削せず地下部に集積したボールを如何にして、高部に移動させるかにあります、本案は、それらを充分に満たしている構造。【００３４】図１１は、上記記載の、地下部に集積したボールを簡単に、フィールドに発射配球出来るかについて、風圧は風速の２条に比例して増加するので風圧発射機を状況の応じ、増設する事が出来る。
【産業上の利用可能性】
【００３５】世界のサッカー人口は２億７０００万人
日本のサッカー人口        ６４０万人
日本のフットサル人口      ３７０万人
「サッカー練習装置」は、大型サッカー練習装置は購入負担が大きいので、本案は、簡易な小型構造で、個人でも購入しやすい製品として開発した。
【図面の簡単な説明】
【００３６】
【図１】  円形コート  サッカー練習場、斜視図である。
【図２】  円形コート、サッカー練習場、正面図である。
【図３】  フットサルコート、練習場の概念図である。
【図４】  Ａ盾，Ｂ盾、Ｃ盾、の説明図
【図５】  ボール回収と発射装置の側面図
【図６】  ボール回収と発射装置の正面図
【図７】  Ｄ盾、「三位一体」Ｄ盾形、説明図
【図８】  練習機Ａ（ボール回収：発射装置）見取図
【図９】  練習機Ｂ（ボール回収：発射装置）正面図：側面図
【図１０】  回転式（ボール回収：発射装置）正面図：側面図
【図１１】  風圧発射機、側面図
【符号の説明】
【００３７】  【図１の符号】【図２の符号】符号同じ
円形コートサッカー練習場、斜視図
【図２の符号】
円形コート、サッカー練習場、正面図
１          フィールド
２          ゴールポスト
３          円形バックネット
４          Ａ盾（垂直盾）：Ｂ盾（前倒盾）；Ｃ盾（弓形盾）
５          ボール回収路
６          選手の位置
７          ボール発射装置
８          サイドネット
９          バックネット支柱
【符号の説明】
【００３８】  【図３の符号】
小型練習場の概念図
１          フィールド
２          ゴールポスト
３          バックネット
４          Ａ：Ｂ：Ｃ：盾
５          ボール回収路
６          選手の位置
７          発射装置
【符号の説明】
【００３９】  【図４の符号】
Ａ盾，Ｂ盾、Ｃ盾、の説明図
Ａ          垂直盾
Ｂ          前傾盾
Ｃ          弓形盾
【符号の説明】
【００４０】    【図５】【図６】符号同じ
ボール回収と発射装置の側面図
【図６】
ボール回収と発射装置の正面図
１          ボール回収路
２          ボール発射装置
３          ボール発射管
４          キックバットの開口経路
５          ボール回収管：ボール発射管：経路
６          キックバット
７          風圧発射機
８          モーター
【符号の説明】
【００４１】  【図７】
パス反発盾、「三位一体」形、説明図
Ａ          垂直盾  見取図
Ｂ          前倒盾  見取図
Ｃ          弓形盾  見取図
Ｄ          三位一体形盾  合体した見取図
【符号の説明】
【００４２】  【図８】
小型練習機Ａ（ボール回収：発射装置）見取図
Ｉ          ゴールポスト
２          サイドネット
３          バックネット
４          ボール回収路
５          風圧発射機
６          円筒ボール発射路
７          ボール発射口
８          ボール集積籠
９          回収籠の上下可動用モーター
【符号の説明】
【００４３】    【図９】
小型練習機Ｂ（ボール回収：発射装置）
１          ゴールポスト
２          変形ネット
３          ボール回収口
４          ボール傾斜回収路
５          ボール発射口
６          風圧発射機
７          ネット支柱
８          反り板
【符号の説明】
【００４４】  【図１０】
小型回転式、ボール回収：発射装置
１          回転式回収装置
２          全体の装置の固定盤
４          ボール回収路
５          ベルト
６          モーター
７          回転ギア
８          回転盤センター軸
９          ボール発射機への誘導路
１０        ボール上位段への誘導受皿
【符号の説明】
【００４５】  【図１１】
ボール風圧発射装置
１          円筒型発射路
２          ボール進入口弁
３          発射装置保管庫
４          グランドライン
５          発射装置電源スイッチ
６          風圧発射機
【図１】
2018122063.tif 000003
【図２】
2018122063.tif 000004
【図３】
2018122063.tif 000005
【図４】
2018122063.tif 000006
【図５】
2018122063.tif 000007
【図６】
2018122063.tif 000008
【図７】
2018122063.tif 000009
【図８】
2018122063.tif 000010
【図９】
2018122063.tif 000011
【図１０】
2018122063.tif 000012
【図１１】
2018122063.tif 000013
【手続補正書】
【提出日】平成29年7月19日(2017.7.19)
【手続補正２】
【補正対象書類名】特許請求の範囲
【補正対象項目名】全文
【補正方法】変更
【補正の内容】
【特許請求の範囲】
【請求項１】
サッカーの練習用の小規模な円形フィールドと、前記円形フィールドの周囲を囲む防御ネットと、前記円形フィールドを３分割した各々において、前記円形フィールドの中心付近に相当する位置に設けられたゴールポストと、前記ゴールポストの裏側付近に具設されたボール回収装置と、前記３分割したフィールドが相互に隣接する隣接部分に設けられた防御ネットと、前記３分割したフィールドが相互に隣接する隣接部分の地面に設けられ、回収したボールを前記円形フィールドの中心部に集積出来るよう、傾斜路になっているボール回収路と、前記ボール回収路によって集積されたボールを大フライ、中フライ、ゴロ、ストレートボール等々の異なった球質でフィールドに待機している選手の方向に発射できるボール発射装置と、前記３分割したフィールドの各々に設置された数個の盾と、を備えたことを特徴とするサッカー練習システム。
【請求項２】
前記ボール回収路を通過したボールは、前記ボール発射装置によって、長距離、中距離、近距離発射または、強弱発射がコントロールされる、請求項１に記載されたサッカー練習システム。
【請求項３】
前記盾は、垂直盾、前倒盾、弓形盾の何れかを含む、請求項１に記載されたサッカー練習システム。
【請求項４】
前記盾は、垂直盾、前倒盾、弓形盾の三形式に変換できる構造の盾を含む、請求項３に記載されたサッカー練習システム。
【請求項５】
さらに、ゴールポストの裏側に巡らされた防御ネットと、前記ゴールポストと前記ゴールポストの裏側に巡らされた前記防御ネットの中間のスペースに置かれたボール回収籠であって、ボールが当該ボール回収籠に集積されたら自動的に４分の１程度回転するボール回収籠と、を備えた、請求項１に記載されたサッカー練習システム。
【請求項６】
さらに、前記ゴールポストの裏側に、ポスト上部、下部、両端に巡らすように張り付けられた湾曲状のゴールネットと、前記ゴールネットの中央部分に設けられたボール挿入口と、前記挿入口の裏側に付設された傾斜回収回路と、を備えた、請求項１に記載されたサッカー練習システム。
【請求項７】
前記ボール回収装置は、回転式ボール移動装置であって、地面下に集積したボールを、回転式回収装置にて高所に移動させるものである、請求項１に記載されたサッカー練習システム。
【請求項８】
前記ボール発射装置は、回収集積されたボールを風力発射装置によりフィールド配送する装置であり、前記風圧発射装置は、２機または３機が別々に付設されたことを特徴とする請求項１に記載されたサッカー練習システム。
【手続補正３】
【補正対象書類名】明細書
【補正対象項目名】００１０
【補正方法】変更
【補正の内容】
【００１０】
本案の、（請求項1）について説明する、小規模な円形フィールド１を設け、そのフィールド１を３分割し、円形フィールド１の中央付近に、別々にゴールポスト２を１台ずつ据置き計３台とする。フィールド１部には、異なった盾（Ａ盾：Ｂ盾：Ｃ盾）を設置する。
３台のボールポスト２を合わせると、三角形となる、その三角形を円形台に設置する、円形台は時間を設定し回転する構造で、各々選手が、異なった形式の練習が出来る装置である。
ゴールポスト２の裏側は、変形反射板４があり、ボールを蹴ると反射反転し、返球される、選手はそのボール対処する練習。
サイドラインの下面に、傾斜された回収路５が設置され、ゴールポスト２裏側にボールは集積され、そのボールを発射装置７により、再度選手に返球する事を繰り返す練習機。